(57)【要約】【課題】指向マーキングのクラウンへの記入を正確かつ簡便に行うことができるゴルフクラブのマーキング用テンプレートを提供する。【解決手段】ゴルフクラブのマーキング用テンプレート１を、クラブヘッド３のクラウン４に貼着剥離自在な物性を有するシートに、指向ライン６の記入ガイドスリット２を設けたことを基本的な構成とする。この記入ガイドスリット２は、フェイス（正面）３ａ側のエッジに沿った平行ラインスリット２ａと、この平行ラインスリット２ａに対して直角方向に配され且つクラブヘッド３のフェイス３ａから背面に渡る直交ラインスリット２ｂと、ゴルフボール５の直径と略同一の直径を有する円弧スリット２ｃとからなり、シート素材は、天然ゴム、シリコンゴムやその他の合成樹脂で、クラブヘッド３のクラウン４に貼着剥離自在な柔軟な物性を有し、その中心部の肉厚Ｔ１よりも周縁側Ｔ２を薄肉の吸盤状に形成する。【選択図】図２
2012016532.tif 000002
【特許請求の範囲】
【請求項１】
クラブヘッドのクラウンに貼着剥離自在な物性を有するシートに、指向ラインの記入ガイドスリットを設けたことを特徴とするゴルフクラブの指向マーキング用テンプレート。
【請求項２】
記入ガイドスリットが、フェイス面（正面）側のエッジに沿った平行ラインスリットと、この平行ラインスリットに対して直角方向に配され且つクラブヘッドのフェイス（正面）から背面に渡る直交ラインスリットと、ゴルフボールの直径と略同一の直径を有する円弧スリットからなることを特徴とする請求項１記載のゴルフクラブの指向マーキング用テンプレート。
【請求項３】
テンプテレートがその中心部の肉厚よりも周縁側が薄肉の吸盤状に形成されていることを請求項１又は請求項２記載のゴルフクラブの指向マーキング用テンプレート。
【発明の詳細な説明】
【技術分野】
【０００１】
本発明は、ゴルフプレーヤーが意図する方向に正確にショットするために使用されるゴルフクラブの指向マーキング用テンプレートに関するものである。
【背景技術】
【０００２】
ゴルフのショットでプレーヤーが意図しない方向にボールが曲がる原因として多いのが、クラブヘッドの打撃面がボールに対して斜傾してしまうことにある。ボールに対するドライバーやパターのアドレスに際し、プレーヤーはクラブフェイスが目標とする打撃方向に正しく向いているかどうかを目視して行なっている。しかし、多くのアマチュアゴルファーは、クラブフェイスが打撃方向に正確にアドレスしていない。
【０００３】
そこで、アドレスの正確さを増すための目印となる直線等のマーキング（以下、単に、指向マーキングという）をゴルフボールの表面に記すためのテンプレートや器具が提案されている（特許文献１、特許文献２参照。）。また、同様の機能を果たすマークを予め付したヘッドを備えたパターも種々提案されており、すでに市販されているものもある。かかるパターヘッドとして、例えば、ヘッド上面に当該パターのフェイス面に直交する細線を刻設したものが提案されている。このパターヘッドは、細線を打撃方向に合わせることにより、ボールを所望の方向へ打つことを容易にするものである。また、クラブヘッドの位置とクラブフェイスによって打つべきボールの位置との所定の相対位置関係を検出するためのセンサーと表示灯を備えたもの（特許文献３参照。）や蛍光塗料や発光体でマーキングしたゴルフクラブが提案されている（特許文献４参照。）。また、ゴルフボールの表面に略Ｔ字形状の中央方向ライン及びこの中央方向ラインの左右に略Ｌ字形状の傾斜方向ラインを有するゴルフボールと、ゴルフクラブのヘッドの上面に略Ｔ字形状の中央方向ライン及びこの中央方向ラインの左右に略Ｌ字形状の平行方向ラインを有するゴルフクラブを備え、ゴルフボールの中央方向ラインと傾斜方向ラインをゴルフクラブの中央方向ラインと平行方向ラインにそれぞれ対応して用いることによってボールを正確に打出すことができるようにされたゴルフ用具（特許文献５参照。）。ヘッド本体の上面に、フェイス側のエッジに沿い且つスイートスポットを中心にして設けられた直線状の第１マークと、この直線状の第１マークの中央部からヘッド本体の後端部へ向けて、第１マークに対して垂直となるように設けられた直線状の第２マークとを備えると共に、前記第１マークとその直径が重なるように設けられた、公式ゴルフボールの直径と同一の直径を有する半円状の第３マークを備えたパターヘッドが提案されている（特許文献６参照。）。
【先行技術文献】
【特許文献】
【０００４】
【特許文献１】米国特許６２０９４５２号公報
【特許文献２】米国特許６２１６５８７号公報
【特許文献３】特開平０７−３２８１６３号公報
【特許文献４】実開昭６１−１８８７７１号公報
【特許文献５】実用新案登録第３１３４１０６号公報
【特許文献６】実用新案登録第３０９９１１７号公報
【発明の概要】
【発明が解決しようとする課題】
【０００５】
上述したように、打撃の方向をボールに表示するためのマーキング用具や予めマーキングされたパターは存在するが、現在のところウッドタイプのクラブ、例えば、ドライバーやフェアウエイウッド用のものは見当たらない。これはゴルフの公式ルールによりコース上ではドライバーヘッドへの同様なマーキングが禁止されているからである。したがって、打撃の方向性がとくに重視されるドライバー（１番ウッド）については、方向を示すマーキングが付されたクラブやマーキング用の器具はほとんど作られていない。しかしながら、練習で使用するドライバーについては不問であるので、マークをクラブヘッドにフリーハンドで記入することもできるが、正確さに欠けるという課題があった。そこで、本発明は、上記従来技術の課題に鑑み、指向マーキングのクラウンへの記入を正確かつ簡便に行うことができるゴルフクラブのマーキング用テンプレートを提供することを目的とする。
【課題を解決するための手段】
【０００６】
上記目的を達成するため、本発明に係るゴルフクラブの指向マーキング用テンプレートは、クラブヘッドのクラウンに貼着剥離自在な物性を有するシートに、指向ラインの記入ガイドスリットを設けたことを第１の特徴とし、この記入ガイドスリットが、フェイス（正面）側のエッジに沿った平行ラインスリットと、この平行ラインスリットに対して直角方向に配され且つクラブヘッドのフェイスから背面に渡る直交ラインスリットと、ゴルフボールの直径と略同一の直径を有する円弧スリットからなることを第２の特徴とし、また、テンプテレートがその中心部の肉厚よりも周縁側が薄肉の吸盤状に形成されていることを第３の特徴とする。
【発明の効果】
【０００７】
本発明は下記の優れた効果がある。
（１）指向マーキングのクラウンへの記入を正確かつ簡便にできる。
（２）テンプテレートを、その中心部の肉厚よりも周縁側が薄肉の吸盤状に形成したので、クラウンの形状が平坦でも湾曲していても確実に密着し、ラインを正確にマーキングでき、ドライバーのみならずスプーン、ユーティリティクラブ等、市販されているほとんどのウッドクラブに使用できる。
（３）サイズが小さいので、キャディーバックに収納して必要に応じて簡単に出し入れできる。
（４）指向ラインによりボールを打ち出す際の正しい方向を容易に見定めることができると共に、アドレスの際のクラブフェイスの傾斜を容易に判別できる。
【０００８】
このゴルフクラブでは、クラブヘッドのクラウンに、クラブヘッドのフェイスのスイートスポットに対応する位置に、円弧マークが記入されているので、このマークがゴルフボールを置いた位置を通過するようにスイングをすることにより、ゴルフボールをスイートスポットに正確に当てることができる。
【０００９】
ラインマークの機能は、平行ラインはフェイスが打撃方向に対して直角にアドレスされているかを確認できる。直交ラインは打撃方向と平行になるので、打撃方向に真っ直ぐにアドレスされているかを確認できる。円弧状ラインの外径はボールの直径（公式ルールで決められている４２．６７ｍｍ）と略同一であり、クラブフェイスのスイートスポットに当てるように、芯で打つことで方向性も良好になり、飛距離も伸びる。フェイスが左を向いていたり（被っている）、右を向いている（開いている）と練習場のマットなどのラインと平行でなかったりするので、他者に指摘されなくてもプレーヤー自らクラブフェイスの向きが判別できる。また、ボールに円弧ラインをぶつける感覚を持ってインパクトすることで、ボールに対して正確にクラブフェイスが当たり、クラブ本来の性能を十分発揮できる。
【００１０】
また、マークの視覚残像によりクラブヘッドの軌道を確認し易くなる。すなわち、打撃前のティーアップした位置でのゴルフボールの視覚残像に対し、スイングしたときのマークの残像が一致しているかずれているかによって、スイング中のクラブヘッドが正しい軌道を通っているか否について判別することができる。
【図面の簡単な説明】
【００１１】
【図１】本発明に係るテンプレートの一実施例を示す（ａ）は平面図、（ｂ）は（ａ）のＡ−Ａ線断面図である。
【図２】テンプレートをクラブヘッドに貼着した状態を示す（ａ）は平面図、（ｂ）は斜視図である。
【図３】マーキングしたクラブヘッドを示す（ａ）は平面図、（ｂ）は斜視図である。
【発明を実施するための形態】
【実施例】
【００１２】
次に、本発明の実施形態を図面に示す実施例に基づいて説明する。
図１乃至図３に示すように、本発明に係るゴルフクラブの指向マーキング用テンプレート１は、後述するクラブヘッド３のクラウン４に貼着剥離自在な物性を有するシートに、指向ライン６の記入ガイドスリット２を設けたことを基本的な構成としている。そして、この記入ガイドスリット２は、フェイス３ａ側のエッジに沿った平行ラインスリット２ａと、この平行ラインスリット２ａに対して直角方向に配され且つクラブヘッド３のフェイス３ａから背面に渡る直交ラインスリット２ｂと、ゴルフボール５の直径と略同一の直径を有する円弧スリット２ｃとからなる。
【００１３】
テンプレート１の素材は、天然ゴム、シリコンゴムやその他の合成樹脂で、上述したように、クラブヘッド３のクラウン４に貼着剥離自在な柔軟な物性を有するものが好適に使用できる。また、図１（ｂ）に示すように、テンプテレート１がその中心部の肉厚Ｔ１よりも周縁側Ｔ２が薄肉の吸盤状に形成され、クラウン４の形状が平坦でも湾曲していても確実に密着し、ライン６を正確にマーキングできる。したがって、ドライバーのみならずスプーン、ユーティリティクラブ等、市販されているほとんどのウッドクラブに使用できる。
【００１４】
図２及び図３は、ゴルフヘッド３をアドレスした状態を示している。プレーヤーが望む打撃方向に対して正しくヘッド３をセットできればアドレスも変わってくる（スイングの矯正よりもアドレスの矯正に近い）。ヘッド３の真芯でインパクトできないと正確なショットができず飛距離も短く方向も狂うので、クラウン４部分に練習時のみだけ指向ライン６を記入し、コースに出る際はラインを消去する。マーキングペンには、水拭きすれば簡単に消去できる水性ペンを使用し、ほとんどのクラブヘッドの色は暗色なので、ボールの色と同じ白色を標準とする。
【００１５】
プレーヤーは、ヘッド３のフェイス３ａにゴルフボール５を接近させた状態で、ボール５とクラウン４に記入した円弧ライン６ｃが重なるように構える。こうすることによって、ボール５をヘッドフェイス３ａのスイートスポット３ｂに合わせた状態でクラブを構えることができる。その際、クラブヘッド３が傾斜している場合には、クラウン４が地面と平行ではなくなるため、円弧状ライン６ｃが短く見え、プレーヤーはヘッド３が傾斜しているか否かを識別することができる。そして、プレーヤーは、円弧ライン６ｃの直径が、実物のゴルフボール５と略等しい長さに見える状態となるように、ヘッド３の傾斜を修正することにより、正確なアラインメント設定ができるようになり、ヘッド３をラインに沿って正確にスイングすることができる。また、平行ライン６ｂ、ゴルフボール５及び例えばグリーン等のターゲットを目視で結ぶようにすれば、正確なライン取りができるようになる。また、ティーショット時のプレーヤーの不安が低減され、その分スイング等他の動作へ神経を集中でき、スコア向上をはかる上で極めて有効である。尚、ボール５に十字ライン７を記入し、平行ライン２ａと直交ライン２ｂとを各々対応させてアドレスすることで、さらに正確なショットを行うことができる。
【００１６】
以上、本発明の実施形態を説明したが、本発明は上記実施例に限定されるものではなく、様々に設定変更可能である。例えば、すべてのラインを引く必要は無く、目的に応じてプレーヤーが必要するラインだけを記入するものでよい。本発明のテンプレートは、コース以外のゴルフ練習場等において、ウッドクラブ用として利用可能である。ウッドクラブとしては、ドライバー、ブラッシー、スプーン、バッフィ、クリーク等が挙げられる。また、本発明でいうゴルフクラブには、スイング練習用のものも含まれる。
【符号の説明】
【００１７】
１  テンプレート本体
２  マーキングガイドスリット
２ａ平行ラインスリット
２ｂ直交ラインスリット
２ｃ円弧スリット
３  クラブヘッド
３ａクラブフェイス（正面）
３ｂスイートスポット
４  クラウン
５  ゴルフボール
６  指向ライン
６ａ平行ライン
６ｂ直交ライン
６ｃ円弧ライン
７  ボールの十字ライン
【図１】
2012016532.tif 000003
【図２】
2012016532.tif 000004
【図３】
2012016532.tif 000005